(57)【要約】【課題】互換性を確保し、且つコネクタの大型化を回避しつつ、コネクタ間の接続確認を行うことができるを提供する。【解決手段】カートリッジ式ＨＤＤ２００と、カートリッジ式ＨＤＤ２００が挿入される記憶装置本体１００とを有する接続確認システムであって、カートリッジ式ＨＤＤ２００は、ＳＡＴＡ規格に準拠して構成され、内部で短絡されたピン２１０ａ〜２１０ｊ、２１０ｌ〜２１０ｏを含むＨＤＤ側コネクタを備える。記憶装置本体１００は、ＳＡＴＡ規格に準拠して構成され、ピン２１０ａ〜２１０ｊ、２１０ｌ〜２１０ｏに対向する位置に設けられたピン１１０ａ〜１１０ｊ、１１０ｌ〜１１０ｏを含む本体側コネクタを備える。ピン１１０ａ〜１１０ｊ、１１０ｌ〜１１０ｏのうちの特定のピン１１０ｄ、１１０ｇ、１１０ｍの変化に応じて、本体側コネクタ１３０にＨＤＤ側コネクタ２３０が接続されたことを検出する。【選択図】図４
2011118844.tif 000002
【特許請求の範囲】
【請求項１】
外部機器と、前記外部機器が挿入される本体機器とを有し、
前記外部機器は、
所定のインタフェース規格に準拠して構成され、内部で短絡された複数の短絡ピンを含む外部機器側コネクタを備え、
前記本体機器は、
前記所定のインタフェース規格に準拠して構成され、前記複数の短絡ピンに対向する位置に設けられた複数の対向ピンを含む本体機器側コネクタと、
前記複数の対向ピンのうちの特定の対向ピンに接続され、前記特定の対向ピンの電圧又は電流の状態に応じて、前記本体機器側コネクタに前記外部機器側コネクタが接続されたことを検出する接続検出部と
を備える接続確認システム。
【請求項２】
前記複数の短絡ピン及び前記複数の対向ピンのそれぞれは、電源供給に使用される電源ピン、接地に使用されるグラウンドピン、又は信号の入出力に使用される信号ピンである請求項１に記載の接続確認システム。
【請求項３】
前記特定の対向ピンは、前記複数の対向ピンのうちの少なくとも２つであり、
前記接続検出部は、前記特定の対向ピンのそれぞれの電圧又は電流の状態の組み合わせに応じて、前記本体機器側コネクタに前記外部機器側コネクタが接続されたことを検出する請求項１又は２に記載の接続確認システム。
【請求項４】
前記本体機器は、前記接続検出部により前記外部機器側コネクタの接続が検出されたか否かに基づいてユーザに対する通知処理を行う通知部を備える請求項１〜３の何れか一項に記載の接続確認システム。
【請求項５】
前記所定のインタフェース規格は、ＳＡＴＡ（Serial Advanced Technology Attachment）規格である請求項１〜４の何れか一項に記載の接続確認システム。
【請求項６】
前記外部機器は、着脱可能な記憶媒体であり、
前記本体機器は、前記記憶媒体へのデータの書き込み及び前記記憶媒体からのデータの読み出しを行う記憶装置本体である請求項１〜５の何れか一項に記載の接続確認システム。
【請求項７】
前記本体機器は、前記本体機器側コネクタに前記外部機器側コネクタが接続されたことを前記接続検出部が検出した場合において、前記外部機器が正常に動作するか否かを確認する動作確認部を備える請求項１〜６の何れか一項に記載の接続確認システム。
【請求項８】
所定のインタフェース規格に準拠して構成され、内部で短絡された複数の短絡ピンを含む外部機器側コネクタを備える外部機器が挿入される本体機器であって、
前記所定のインタフェース規格に準拠して構成され、前記複数の短絡ピンに対向する位置に設けられた複数の対向ピンを含む本体機器側コネクタと、
前記複数の対向ピンのうちの特定の対向ピンに接続され、前記特定の対向ピンの電圧又は電流の状態に応じて、前記本体機器側コネクタに前記外部機器側コネクタが接続されたことを検出する接続検出部と
を備える本体機器。
【発明の詳細な説明】
【技術分野】
【０００１】
本発明は、本体機器と外部機器とが正常に接続されたか否かを確認できる接続確認システム及び本体機器に関する。
【背景技術】
【０００２】
従来、本体機器に外部機器が挿入される形態の電子機器が広く用いられている。このような形態の電子機器としては、例えば、着脱可能な記憶媒体が挿入される記憶装置がある。
【０００３】
本体機器及び外部機器のそれぞれはコネクタを有しており、本体機器に外部機器を挿入し、各電子機器に設けられたコネクタを互いに接続することで、当該コネクタを介したデータ転送が可能になる。
【０００４】
一方、ユーザが各コネクタを接続したつもりでも、コネクタ間の接続が不完全である場合には、データ転送を行うとしてもエラーが生じてしまう。しかし、本体機器に外部機器が挿入されている状態では、コネクタ間の接続状態をユーザが外部から視認することは困難である。
【０００５】
コネクタ間の接続を自動で確認するために、外部機器のコネクタに複数の接続確認専用ピンを新たに追加し、接続確認専用ピンに流れる電流を検出することで接続確認を行う手法が提案されている（特許文献１参照）。
【先行技術文献】
【特許文献】
【０００６】
【特許文献１】特開２００１−３３８７２５号公報
【発明の概要】
【発明が解決しようとする課題】
【０００７】
コネクタの形状は、インタフェース規格により定められていることが一般的であるが、特許文献１に記載の手法は、接続確認専用ピンをコネクタに新たに追加するものであるため、このような専用ピンの追加により、コネクタがインタフェース規格に準拠しなくなり、互換性が確保できなくなるという問題がある。
【０００８】
また、特許文献１に記載の手法は、接続確認専用ピンをコネクタに追加することでコネクタの大型化に繋がるという問題がある。
【０００９】
そこで、本発明は、互換性を確保し、且つコネクタの大型化を回避しつつ、コネクタ間の接続確認を行うことができる接続確認システム及び本体機器を提供することを目的とする。
【課題を解決するための手段】
【００１０】
上述した課題を解決するために、本発明は以下のような特徴を有している。まず、本発明の第１の特徴は、外部機器（例えばカートリッジ式ＨＤＤ２００）と、前記外部機器が挿入される本体機器（例えば記憶装置本体１００）とを有し、前記外部機器は、所定のインタフェース規格に準拠して構成され、内部で短絡された複数の短絡ピン（例えばピン２１０ａ〜２１０ｊ、２１０ｌ〜２１０ｏ）を含む外部機器側コネクタ（例えばＨＤＤ側コネクタ２３０）を備え、前記本体機器は、前記所定のインタフェース規格に準拠して構成され、前記複数の短絡ピンに対向する位置に設けられた複数の対向ピン（例えばピン１１０ａ〜１１０ｊ、１１０ｌ〜１１０ｏ）を含む本体機器側コネクタ（例えば本体側コネクタ１３０）と、前記複数の対向ピンのうちの特定の対向ピン（例えばピン１１０ｄ、１１０ｇ、１１０ｍ）に接続され、前記特定の対向ピンの電圧又は電流の状態に応じて、前記本体機器側コネクタに前記外部機器側コネクタが接続されたことを検出する接続検出部（例えばＣＰＵ１５０）とを備えることを要旨とする。
【００１１】
このような特徴によれば、インタフェース規格に準拠して構成された外部機器側コネクタのうち内部で短絡された短絡ピンの一部を利用して接続確認を行うことができる。従って、接続確認専用ピンを新たに追加する必要がないため、互換性を確保し、且つコネクタを大型化せずに、コネクタ間の接続確認を行うことができる。
【００１２】
本発明の第２の特徴は、本発明の第１の特徴に係り、前記複数の短絡ピン及び前記複数の対向ピンのそれぞれは、電源供給に使用される電源ピン、接地に使用されるグラウンドピン、又は信号の入出力に使用される信号ピンであることを要旨とする。
【００１３】
本発明の第３の特徴は、本発明の第１又は第２の特徴に係り、前記特定の対向ピンは、前記複数の対向ピンのうちの少なくとも２つであることを要旨とする。
【００１４】
本発明の第４の特徴は、本発明の第１〜第３の何れかの特徴に係り、前記本体機器は、前記接続検出部により前記外部機器側コネクタの接続が検出されたか否かに基づいてユーザに対する通知処理を行う通知部（例えばＣＰＵ１５０、ネットワークインタフェース１７０、ＬＥＤ１８０）を備えることを要旨とする。
【００１５】
本発明の第５の特徴は、本発明の第１〜第４の何れかの特徴に係り、前記所定のインタフェース規格は、ＳＡＴＡ（Serial Advanced Technology Attachment）規格であることを要旨とする。
【００１６】
本発明の第６の特徴は、本発明の第１〜第５の何れかの特徴に係り、前記外部機器は、着脱可能な記憶媒体であり、前記本体機器は、前記記憶媒体へのデータの書き込み及び前記記憶媒体からのデータの読み出しを行う記憶装置本体であることを要旨とする。
【００１７】
本発明の第７の特徴は、本発明の第１〜第６の何れかの特徴に係り、前記本体機器は、前記本体機器側コネクタに前記外部機器側コネクタが接続されたことを前記接続検出部が検出した場合において、前記外部機器が正常に動作するか否かを確認する動作確認部（ＣＰＵ１５０、ＳＡＴＡコントローラ１４０）を備えることを要旨とする。
【００１８】
本発明の第７の特徴は、所定のインタフェース規格に準拠して構成され、内部で短絡された複数の短絡ピンを含む外部機器側コネクタを備える外部機器が挿入される本体機器であって、前記所定のインタフェース規格に準拠して構成され、前記複数の短絡ピンに対向する位置に設けられた複数の対向ピンを含む本体機器側コネクタと、前記複数の対向ピンのうちの特定の対向ピンに接続され、前記特定の対向ピンの電圧又は電流の状態に応じて、前記本体機器側コネクタに前記外部機器側コネクタが接続されたことを検出する接続検出部とを備えることを要旨とする。
【発明の効果】
【００１９】
本発明によれば、互換性を確保し、且つコネクタの大型化を回避しつつ、コネクタ間の接続確認を行うことができる接続確認システム及び本体機器を提供できる。
【図面の簡単な説明】
【００２０】
【図１】本発明の実施形態に係るＮＡＳを含む全体概略構成図である。
【図２】本発明の実施形態に係る記憶装置本体にカートリッジ式ＨＤＤが挿入される際の記憶装置本体及びカートリッジ式ＨＤＤの状態を示す平面図である。
【図３】本発明の実施形態に係るＮＡＳの構成を示すブロック図である。
【図４】本発明の実施形態に係る本体側ＳＡＴＡパワーコネクタ部及びＨＤＤ側ＳＡＴＡパワーコネクタ部の詳細構成を示す図である。
【図５】本発明の実施形態に係るＣＰＵによる接続検出動作を説明するための図である。
【発明を実施するための形態】
【００２１】
次に、図面を参照して、本発明の実施形態を説明する。以下の実施形態における図面の記載において、同一又は類似の部分には同一又は類似の符号を付している。
【００２２】
ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００２３】
以下においては、ネットワーク対応型の記憶装置であるＮＡＳ（Network Attached Storage）に対して、本発明の接続確認システムを適用した場合の実施形態について説明する。
【００２４】
本実施形態に係るＮＡＳは、着脱可能な記憶媒体を有する。記憶媒体としては、磁気ディスクを用いるＨＤＤ（Hard Disk Drive）を使用するケースを例示するが、ＨＤＤに代えて、不揮発性メモリを用いるＳＳＤ（Solid State Drive）、あるいは光学ドライブを使用してもよい。
【００２５】
以下、（１）全体概略構成、（２）詳細構成、（３）接続検出動作、（４）実施形態の効果、（５）その他の実施形態の順に説明する。
【００２６】
（１）全体概略構成
まず、図１及び図２を参照して、本実施形態に係るＮＡＳの全体概略構成について説明する。
【００２７】
図１は、本実施形態に係るＮＡＳを含む全体概略構成図である。本実施形態では、本体機器としての記憶装置本体１００と外部機器としてのカートリッジ式ＨＤＤ２００とによってＮＡＳが構成される。
【００２８】
記憶装置本体１００は、ホームネットワーク等のネットワーク３００に接続されている。記憶装置本体１００は、ＰＣ又はテレビ受像機等のクライアント端末４００との間でネットワーク３００を介してコマンド及びデータを送受信する。記憶装置本体１００は、コマンドに応じてカートリッジ式ＨＤＤ２００に対するデータの書き込み及び読み出し等を行う。
【００２９】
記憶装置本体１００は、カートリッジ式ＨＤＤ２００が挿入されるＨＤＤスロット部１００ａを有する。カートリッジ式ＨＤＤ２００は、カートリッジ内にＨＤＤを収納したものであり、記憶装置本体１００に着脱可能に構成されている。
【００３０】
なお、図１では、説明の簡略化のため、１つのＨＤＤスロット部１００ａのみが記憶装置本体１００に設けられているが、複数のＨＤＤスロット部１００ａが記憶装置本体１００に設けられていてもよい。
【００３１】
記憶装置本体１００にカートリッジ式ＨＤＤ２００を着脱可能に構成することで、カートリッジ式ＨＤＤ２００の記憶容量が不足している場合には他のカートリッジ式ＨＤＤ２００により補完することができる。また、記憶させるデータの属性毎にカートリッジ式ＨＤＤ２００を使い分けることができる。
【００３２】
記憶装置本体１００には、発光素子であるＬＥＤ１８０が設けられている。ＬＥＤ１８０の詳細については後述する。
【００３３】
図２は、記憶装置本体１００にカートリッジ式ＨＤＤ２００が挿入される際の記憶装置本体１００及びカートリッジ式ＨＤＤ２００の状態を示す平面図である。
【００３４】
図２に示すように、記憶装置本体１００のＨＤＤスロット部１００ａには、本体側コネクタ１３０が設けられている。カートリッジ式ＨＤＤ２００には、ＨＤＤ側コネクタ２３０が設けられている。本実施形態において、ＨＤＤ側コネクタ２３０は外部機器側コネクタに相当し、本体側コネクタ１３０は本体機器側コネクタに相当する。
【００３５】
記憶装置本体１００にカートリッジ式ＨＤＤ２００を挿入し、本体側コネクタ１３０及びＨＤＤ側コネクタ２３０を互いに接続することで、本体側コネクタ１３０及びＨＤＤ側コネクタ２３０を介したデータ転送が可能になる。
【００３６】
本実施形態では、本体側コネクタ１３０及びＨＤＤ側コネクタ２３０は、インタフェース規格の１つであるＳＡＴＡ（Serial Advanced Technology Attachment）規格に準拠して構成されている。すなわち、本体側コネクタ１３０及びＨＤＤ側コネクタ２３０は、ＳＡＴＡ規格に準拠したコネクタ形状を有し、物理上新たなピンは追加されていない。
【００３７】
ＳＡＴＡ規格では、電力系のピン群と信号系のピン群とが個別に設けられる。具体的には、本体側コネクタ１３０は、電力系のピン群である本体側ＳＡＴＡパワーコネクタ部１１０と、信号系のピン群である本体側ＳＡＴＡ信号コネクタ部１２０とを有する。同様に、ＨＤＤ側コネクタ２３０は、電力系のピン群であるＨＤＤ側ＳＡＴＡパワーコネクタ部２１０と、信号系のピン群であるＨＤＤ側ＳＡＴＡ信号コネクタ部２２０とを有する。本体側ＳＡＴＡパワーコネクタ部１１０及びＨＤＤ側ＳＡＴＡパワーコネクタ部２１０は互いに接続され、本体側ＳＡＴＡ信号コネクタ部１２０及びＨＤＤ側ＳＡＴＡ信号コネクタ部２２０は互いに接続される。
【００３８】
（２）詳細構成
次に、図３及び図４を参照して、本実施形態に係るＮＡＳの詳細構成について説明する。ただし、本発明に関連しない構成については説明を省略する。
【００３９】
図３は、本実施形態に係るＮＡＳの構成を示すブロック図である。
【００４０】
図３に示すように、カートリッジ式ＨＤＤ２００は、ＨＤＤ側ＳＡＴＡパワーコネクタ部２１０及びＨＤＤ側ＳＡＴＡ信号コネクタ部２２０に加えて、ＨＤＤコントローラ２４０及びＨＤＤ２５０を有する。ＨＤＤコントローラ２４０は、ＨＤＤ２５０への書き込み及びＨＤＤ２５０からの読み出し等を制御する。ＨＤＤ２５０は、磁気ディスクと、磁気ディスクを駆動するモータとを含んで構成される。
【００４１】
ＨＤＤコントローラ２４０及びＨＤＤ２５０には、ＨＤＤ側ＳＡＴＡパワーコネクタ部２１０を介して記憶装置本体１００の本体側ＳＡＴＡパワーコネクタ部１１０から電力が供給される。ＳＡＴＡ規格上、１２Ｖ、５Ｖ、３．３Ｖの３種類の電源電圧が供給可能とされているが、本実施形態では、１２Ｖ及び５Ｖを供給するものとしている。
【００４２】
記憶装置本体１００は、本体側ＳＡＴＡパワーコネクタ部１１０及び本体側ＳＡＴＡ信号コネクタ部１２０に加えて、ＳＡＴＡコントローラ１４０、ＣＰＵ１５０、メモリ１６０、ネットワークインタフェース１７０、及びＬＥＤ１８０を有する。
【００４３】
ＳＡＴＡコントローラ１４０は、本体側ＳＡＴＡ信号コネクタ部１２０を介してＳＡＴＡ信号を送受信する。メモリ１６０は例えば不揮発性の半導体メモリであり、ＣＰＵ１５０は、メモリ１６０に記憶されているプログラムを実行することで記憶装置本体１００の全体を制御する。
【００４４】
ＣＰＵ１５０は、本体側コネクタ１３０にＨＤＤ側コネクタ２３０が接続されたことを検出する接続検出部として機能する。接続を検出する動作の詳細については後述する。
【００４５】
また、ＳＡＴＡコントローラ１４０及びＣＰＵ１５０は、本体側コネクタ１３０にＨＤＤ側コネクタ２３０が接続されたことをＣＰＵ１５０が検出した場合において、カートリッジ式ＨＤＤ２００が正常に動作するか否かを確認する動作確認部として機能する。
【００４６】
具体的には、ＣＰＵ１５０は、接続検出の後、所定のコマンドをＳＡＴＡコントローラ１４０からカートリッジ式ＨＤＤ２００に送信させる。当該コマンドに対する応答がカートリッジ式ＨＤＤ２００から受信できない場合には、カートリッジ式ＨＤＤ２００が正常に動作していないと判定できる。一方、当該コマンドに対する応答がカートリッジ式ＨＤＤ２００から受信できた場合、カートリッジ式ＨＤＤ２００が正常に動作していると判定できる。なお、このようなコマンドに代えて、物理層レベルでの信号（例えば、Ethernet(登録商標)のLinkパルスに相当する信号）により接続確認を行ってもよい。
【００４７】
ネットワークインタフェース１７０は、ネットワーク３００に接続され、コマンドやデータの入出力を行う。ＣＰＵ１５０は、本体側コネクタ１３０にＨＤＤ側コネクタ２３０が接続されたことを検出すると、その旨の情報をネットワークインタフェース１７０からクライアント端末４００に送信する。あるいは、本体側コネクタ１３０にＨＤＤ側コネクタ２３０が接続されたことを検出した後において、ＣＰＵ１５０は、カートリッジ式ＨＤＤ２００が正常に動作していないと判定すると、その旨の情報をネットワークインタフェース１７０からクライアント端末４００に送信する。クライアント端末４００は、当該情報を受信すると、本体側コネクタ１３０にＨＤＤ側コネクタ２３０が接続された旨、あるいはカートリッジ式ＨＤＤ２００が正常に動作していない旨を画面（例えばＷｅｂ画面）上に表示する。
【００４８】
ＬＥＤ１８０は、ＣＰＵ１５０からの信号に応じて発光する。ＣＰＵ１５０は、本体側コネクタ１３０にＨＤＤ側コネクタ２３０が接続されたことを検出すると、ＬＥＤ１８０を発光させるための信号をＬＥＤ１８０に送信する。あるいは、本体側コネクタ１３０にＨＤＤ側コネクタ２３０が接続されたことを検出した後において、ＣＰＵ１５０は、カートリッジ式ＨＤＤ２００が正常に動作していないと判定すると、ＬＥＤ１８０を発光させるための信号をＬＥＤ１８０に送信する。なお、接続通知用のＬＥＤと異常通知用のＬＥＤとを個別に設ける構成でもよい。
【００４９】
このように、本実施形態において、ＣＰＵ１５０、ネットワークインタフェース１７０、及びＬＥＤ１８０は、ＨＤＤ側コネクタ２３０の接続が検出されたか否かに基づいてユーザに対する通知処理を行う通知部を構成する。
【００５０】
図４は、本体側ＳＡＴＡパワーコネクタ部１１０及びＨＤＤ側ＳＡＴＡパワーコネクタ部２１０の詳細構成を示す図である。
【００５１】
図４に示すように、本体側ＳＡＴＡパワーコネクタ部１１０はピン１１０ａ〜１１０ｏを有し、ＨＤＤ側ＳＡＴＡパワーコネクタ部２１０はピン２１０ａ〜２１０ｏを有する。本体側ＳＡＴＡパワーコネクタ部１１０及びＨＤＤ側ＳＡＴＡパワーコネクタ部２１０のそれぞれのピン配置は、ＳＡＴＡ規格に準拠している。
【００５２】
ピン１１０ａ〜１１０ｏ、２１０ａ〜２１０ｏは、主に、電源供給に使用される電源ピン、又は接地に使用されるグラウンドピンである。具体的には、ピン１１０ａ〜１１０ｃ、２１０ａ〜２１０ｃは３．３Ｖの電源ピンである。ピン１１０ｄ〜１１０ｆ、１１０ｊ、１１０ｌ、２１０ｄ〜２１０ｆ、２１０ｊ、２１０ｌはグラウンドピンである。ピン１１０ｋ、２１０ｋはＤＡＳ／ＤＳＳ（Device Activity Signal / Disable Staggered Spinup）ピンである。ピン１１０ｍ〜１１０ｏ、２１０ｍ〜２１０ｏは１２Ｖの電源ピンである。
【００５３】
ＨＤＤ側ＳＡＴＡパワーコネクタ部２１０の電源ピン及びグラウンドピン、すなわち、ピン２１０ａ〜２１０ｊ、２１０ｌ〜２１０ｏは、内部で短絡（相互に接続）された複数の短絡ピンに相当する。
【００５４】
本体側ＳＡＴＡパワーコネクタ部１１０の電源ピン及びグラウンドピン、すなわち、ピン１１０ａ〜１１０ｊ、１１０ｌ〜１１０ｏは、複数の短絡ピンに対向する位置に設けられた複数の対向ピンに相当する。
【００５５】
本体側ＳＡＴＡパワーコネクタ部１１０の電源ピン及びグラウンドピンのうち特定のピン１１０ｄ、１１０ｇ、１１０ｍには、プルアップ抵抗Ｒ１、プルダウン抵抗Ｒ２及びＲ３を介して、ＣＰＵ１５０（接続検出部）が接続されている。具体的には、ＣＰＵ１５０は、ピン１１０ｄ、１１０ｇ、１１０ｍの電圧又は電流の状態に応じて、本体側コネクタ１３０にＨＤＤ側コネクタ２３０が接続されたことを検出する。
【００５６】
本実施形態では、ＣＰＵ１５０は、ピン１１０ｄ、１１０ｇ、１１０ｍの電圧レベルに応じて、本体側コネクタ１３０にＨＤＤ側コネクタ２３０が接続されたことを検出するものとする。以下においては、ピン１１０ｄ、１１０ｇ、１１０ｍの電圧レベルを検知信号と称する。
【００５７】
（３）接続検出動作
次に、図４及び図５を参照して、ＣＰＵ１５０による接続検出動作を説明する。図５は、ＣＰＵ１５０による接続検出動作を説明するための図である。
【００５８】
図４に示すグラウンドピン１１０ｄにはプルアップ抵抗Ｒ１の一端が接続され、零Ｖではない電圧源にプルアップ抵抗Ｒ１の他端が接続されている。一方、グラウンドピン２１０ｄは接地されている。
【００５９】
本体側コネクタ１３０にＨＤＤ側コネクタ２３０が接続される前においては、図５に示すように、検知信号１（グラウンドピン１１０ｄの電圧レベル）は零以外の電圧である。本体側コネクタ１３０にＨＤＤ側コネクタ２３０が接続され、グラウンドピン１１０ｄとグラウンドピン２１０ｄとが接触している場合には、図５に示すように、検知信号１はグラウンドレベル（０Ｖ）になる。ＣＰＵ１５０には検知信号１が入力されており、ＣＰＵ１５０は、検知信号１によりＨＤＤ側コネクタ２３０の接続有無を検出できる。
【００６０】
また、図４に示す５Ｖの電源ピン１１０ｇにはプルダウン抵抗Ｒ２の一端が接続され、グラウンドにプルダウン抵抗Ｒ２の他端が接続されている。一方、５Ｖの電源ピン２１０ｇは５Ｖに保たれている。
【００６１】
本体側コネクタ１３０にＨＤＤ側コネクタ２３０が接続される前においては、図５に示すように、検知信号２（電源ピン１１０ｇの電圧レベル）は零である。本体側コネクタ１３０にＨＤＤ側コネクタ２３０が接続され、電源ピン１１０ｇと電源ピン２１０ｇとが接触している場合には、図５に示すように、検知信号２は５Ｖになる。ＣＰＵ１５０には検知信号２が入力されており、ＣＰＵ１５０は、検知信号２によりＨＤＤ側コネクタ２３０の接続有無を検出できる。
【００６２】
さらに、図４に示す１２Ｖの電源ピン１１０ｍにはプルダウン抵抗Ｒ３の一端が接続され、グラウンドにプルダウン抵抗Ｒ３の他端が接続されている。一方、１２Ｖの電源ピン２１０ｍは１２Ｖに保たれている。
【００６３】
本体側コネクタ１３０にＨＤＤ側コネクタ２３０が接続される前においては、図５に示すように、検知信号３（電源ピン１１０ｍの電圧レベル）は零である。本体側コネクタ１３０にＨＤＤ側コネクタ２３０が接続され、電源ピン１１０ｍと電源ピン２１０ｍとが接触している場合には、図５に示すように、検知信号３は１２Ｖになる。ＣＰＵ１５０には検知信号３が入力されており、ＣＰＵ１５０は、検知信号３によりＨＤＤ側コネクタ２３０の接続有無を検出できる。
【００６４】
このように、本実施形態では、検知信号１〜３の何れかを用いて、ＨＤＤ側コネクタ２３０の接続有無を検出できる。あるいは、ＣＰＵ１５０は、検知信号１〜３の組み合わせに応じてＨＤＤ側コネクタ２３０の接続有無を検出してもよい。
【００６５】
例えば、ＣＰＵ１５０は、検知信号１〜３の全て（又は何れか２つ）が「接続有」を示す場合に、ＨＤＤ側コネクタ２３０が接続されたと判定し、それ以外の場合には、ＨＤＤ側コネクタ２３０が接続されていないと判定してもよい。これにより、接続有無の検出精度を向上させることができる。
【００６６】
（４）実施形態の効果
以上説明したように、本実施形態では、ＳＡＴＡ規格に準拠して構成されたＨＤＤ側コネクタ２３０のうち内部で短絡されたピン（電源ピン又はグラウンドピン）２１０ａ〜２１０ｊ、２１０ｌ〜２１０ｏの一部を利用して接続確認が行われる。接続確認専用ピンを新たに追加する必要がないため、互換性を確保し、且つコネクタの大型化を回避しつつ、コネクタ間の接続確認を行うことができる。
【００６７】
さらに、本実施形態では、記憶装置本体１００のＣＰＵ１５０は、a) 何も接続されていない、b) 接続されているが正常に動かない（壊れているなど）、c) 正常に接続され使用可能の、a)〜c)を見分ける事ができる。
【００６８】
また、ＣＰＵ１５０、ネットワークインタフェース１７０、及びＬＥＤ１８０が、ＨＤＤ側コネクタ２３０の接続が検出されたか否かに基づいてユーザに対する通知処理を行うことにより、ユーザが、コネクタ間の接続状態を確認できる。
【００６９】
さらに、ＣＰＵ１５０が、検知信号１〜３の組み合わせに応じてＨＤＤ側コネクタ２３０の接続有無を検出することで、接続有無の検出精度を向上させることができる。
【００７０】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７１】
上述した実施形態では、ＬＥＤ１８０を用いてユーザへの通知を行う一例を説明したが、ＬＥＤ１８０に代えて、ブザー音を出力するスピーカを用いてユーザへの通知を行う構成でもよい。
【００７２】
上述した実施形態では、インタフェース規格の１つであるＳＡＴＡ規格に準拠した構成について説明したが、ＳＡＴＡ規格に限らず、他のインタフェース規格についても本発明を適用可能である。例えば、ＡＴＡ規格、ＲＳ−２３２Ｃ規格、セントロニクス規格、ＳＣＳＩ（Small Computer System Interface）規格、ＳＡＳ（Serial Attached SCSI）規格、ＵＳＢ（Universal Serial Bus）等のインタフェース規格に本発明を適用してもよい。
【００７３】
上述した実施形態では、本発明の接続確認システムをＮＡＳに適用する場合について説明したが、ＮＡＳに限らず、本発明の接続確認システムをＩＰ−ＳＴＢ（Set Top Box）やブロードバンドルータに適用してもよい。本発明の接続確認システムをＩＰ−ＳＴＢに適用する場合には、ＳＴＢ本体が本体機器に相当し、ＳＴＢ本体に挿入される記憶媒体が外部機器に相当する。また、本発明の接続確認システムをブロードバンドルータに適用する場合には、ルータ本体が本体機器に相当し、ルータ本体に挿入される記憶媒体が外部機器に相当する。
【００７４】
さらに、本発明に係る外部機器としては記憶媒体に限定されず、カードリーダ、チューナ、無線I/F（BluetoothやRFIDなど）も本発明に係る外部機器に相当する。
【００７５】
上述した実施形態では、電源ピン、グラウンドピンを使用して、接続の確認を行う構成について説明したが、複数の信号ピンが内部で短絡されている場合には、信号ピンを使用して接続の確認を行う構成としてもよい。
【００７６】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７７】
１００…記憶装置本体、１００ａ…ＨＤＤスロット部、１１０…本体側ＳＡＴＡパワーコネクタ部、１１０ａ〜１１０ｏ，２１０ａ〜２１０ｏ…ピン、１２０…本体側ＳＡＴＡ信号コネクタ部、１３０…本体側コネクタ、１４０…ＳＡＴＡコントローラ、１５０…ＣＰＵ、１６０…メモリ、１７０…ネットワークインタフェース、１８０…ＬＥＤ、２００…カートリッジ式ＨＤＤ、２１０…ＨＤＤ側ＳＡＴＡパワーコネクタ部、２２０…ＨＤＤ側ＳＡＴＡ信号コネクタ部、２３０…ＨＤＤ側コネクタ、２４０…ＨＤＤコントローラ、２５０…ＨＤＤ、３００…ネットワーク、４００…クライアント端末、Ｒ１〜Ｒ３…抵抗
【図１】
2011118844.tif 000003
【図２】
2011118844.tif 000004
【図３】
2011118844.tif 000005
【図４】
2011118844.tif 000006
【図５】
2011118844.tif 000007